(57)【要約】【課題】開閉蓋の跳ね上げと閉塞状態を維持することができる開閉蓋の閉塞維持機構、電子機器を提供することである。【解決手段】作動突起５１と、作動レバー機構５２と、作動ばね５３と、を備え、作動レバー機構５２は、開閉蓋２２に対し回動始端位置と回動終端位置との間で回動自在に構成されると共に、回動終端位置と閉塞維持位置との間で移動自在に構成され、作動突起５１は、開閉蓋２２の閉塞動作に連動し、作動ばね５３に抗して作動レバー機構５２を回動始端位置から回動終端位置に回動させ、且つ作動ばね５３を介して作動レバー機構５２により回動終端位置から回動始端位置に回動して、開閉蓋２２を跳ね上げる押圧突起６１と、閉塞維持位置に移動した作動レバー機構５２に係合し、作動ばね５３を介して作動レバー機構５２により押圧され、開閉蓋２２を閉塞状態に維持する被押圧突起６２と、を有している。【選択図】図３
2009226836.tif 000002
【特許請求の範囲】
【請求項１】
電子機器の筐体に設けられ、ヒンジ部を中心に開閉される開閉蓋の閉塞状態を維持する開閉蓋の閉塞維持機構であって、
前記開閉蓋に設けた作動突起と、
前記作動突起に係合し、前記開閉蓋の開閉動作に連動して作動し前記開閉蓋を完全閉塞状態に維持する作動レバー機構と、
前記作動レバー機構を一方向に付勢する作動ばねと、を備え、
前記作動レバー機構は、前記開閉蓋に対し連動状態となる回動始端位置と前記開閉蓋の完全閉塞前の回動終端位置との間で回動自在に構成されると共に、前記回動終端位置と前記開閉蓋を完全閉塞して回動阻止状態となる閉塞維持位置との間で移動自在に構成され、
前記作動突起は、前記開閉蓋の閉塞動作に連動し、前記作動ばねに抗して前記作動レバー機構を回動始端位置から回動終端位置に回動させ、且つ前記作動ばねを介して前記作動レバー機構により回動終端位置から回動始端位置に回動して、前記開閉蓋を跳ね上げる押圧突起と、
前記閉塞維持位置に移動した前記作動レバー機構に係合し、前記作動ばねを介して前記作動レバー機構により押圧され、前記開閉蓋を閉塞状態に維持する被押圧突起と、を有していることを特徴とする開閉蓋の閉塞維持機構。
【請求項２】
前記作動レバー機構は、前記作動突起に係合し、前記開閉蓋の開閉動作に連動して前記回動始端位置と前記回動終端位置との間で回動自在に、且つ前記回動終端位置と前記閉塞維持位置との間で移動自在に構成された作動レバーと、
前記作動レバーを前記回動始端位置と前記回動終端位置との間で回動自在に支持する回動支軸と、
前記回動支軸に対し離間して配設され、前記作動レバーに係合する係合ピンと、
前記作動レバーに設けられ、前記回動支軸と協働して前記作動レバーの回動動作および移動動作をガイドする直線状の軸側ガイドと、
前記作動レバーに設けられ、前記係合ピンと協働して前記作動レバーの回動動作をガイドする円弧状ガイド部、および前記円弧状ガイド部に連なり前記作動レバーの移動動作をガイドする直線状ガイド部とを含むピン側ガイド、を有し、
前記軸側ガイドと前記直線状ガイド部とは、同一方向に且つ前記作動ばねの付勢力が作用する方向に延在していることを特徴とする請求項１に記載の開閉蓋の閉塞維持機構。
【請求項３】
前記回動始端位置における前記作動レバーと前記押圧突起との接触点における閉塞力の作用方向に対し、前記回動支軸は、前記作動ばねによる付勢方向と逆方向に位置ズレして配設されていることを特徴とする請求項２に記載の開閉蓋の閉塞維持機構。
【請求項４】
前記押圧突起は、前記作動レバーを前記回動始端位置から前記回動終端位置に向って移動させるカム斜面を有していることを特徴とする請求項２または３に記載の開閉蓋の閉塞維持機構。
【請求項５】
前記ピン側ガイドは、一端が前記円弧状ガイド部に連なると共に他端が前記直線状ガイド部に連なり、前記作動レバーを前記閉塞維持位置を超えた位置から前記回動始端位置に直接復帰させる復帰ガイド部を、更に有していることを特徴とする請求項２ないし４のいずれかに記載の開閉蓋の閉塞維持機構。
【請求項６】
前記ピン側ガイドは、溝底が、前記復帰ガイド部から前記円弧状ガイド部に向って上り傾斜となり、且つ前記復帰ガイド部と前記円弧状ガイド部との接続部分が段部となるガイド溝で構成され、
前記係合ピンは、前記ガイド溝に係合するピン本体と、前記ピン本体を前記溝底に向って付勢するばね部材と、を有していることを特徴とする請求項５に記載の開閉蓋の閉塞維持機構。
【請求項７】
前記開閉蓋により開閉され、印刷テープを収容したテープカートリッジが着脱自在に装着されるカートリッジ収容部と、
前記カートリッジ収容部に装着した前記テープカートリッジから前記印刷テープを繰り出して印刷を行う印刷機構と、
請求項１ないし６のいずれかに記載の開閉蓋閉塞機構と、を備えたことを特徴とする電子機器。
【請求項８】
前記印刷機構の印刷ヘッドをプラテンに対し相対的に離接させるヘッドリリース機構を、更に備え、
前記作動ばねが、前記印刷ヘッドを前記プラテンに対し相対的に押圧する前記ヘッドリリース機構のヘッド押圧ばねを兼ねていることを特徴とする請求項７に記載の電子機器。
【発明の詳細な説明】
【技術分野】
【０００１】
本発明は、電子機器の筐体に設けられ、ヒンジ部を中心に開閉される開閉蓋の閉塞状態を維持する開閉蓋の閉塞維持機構およびこれを備えた電子機器に関するものである。
【背景技術】
【０００２】
従来、この種の開閉蓋の閉塞維持機構として、テープ印刷装置のカートリッジ収容部に組み込まれた閉塞ロック機構が知られている（特許文献１参照）。この閉塞ロック機構は、開閉蓋の開閉動作に連動して、印刷ヘッドとプラテンとを離接する操作部材と、印刷ヘッドとプラテンが圧接した状態で操作部材をロックするロック部材と、操作部材をロック解除の方向に付勢するばねと、ロック部材のロックを解除操作する解除ボタンと、開閉蓋に設けられ、閉塞状態で操作部材に係止される係止片と、を有している。
開閉蓋を閉じてゆくと、操作部材がロック部材にロックされると共に、係止片を介して開閉蓋が操作部材にロックされる。この閉塞ロック状態から、解除ボタンを押すと、ロック部材のロックが解除され、操作部材が回動して開閉蓋を跳ね上げる。
【特許文献１】特許第３６７１５２６号公報
【発明の開示】
【発明が解決しようとする課題】
【０００３】
このような従来の閉塞ロック機構では、開閉蓋をロック・アンロックするロック部材の他、ロック部材を解除操作する解除ボタンが必要であり、構造が複雑になるだけでなく、開閉蓋の近傍に解除ボタンを配置するスペースが必要となる問題があった。
【０００４】
本発明は、解除ボタンを不要とする簡単な構造で、開閉蓋の跳ね上げと閉塞状態を維持することができる開閉蓋の閉塞維持機構およびこれを備えた電子機器を提供することをその課題としている。
【課題を解決するための手段】
【０００５】
本発明の開閉蓋の閉塞維持機構は、電子機器の筐体に設けられ、ヒンジ部を中心に開閉される開閉蓋の閉塞状態を維持する開閉蓋の閉塞維持機構であって、開閉蓋に設けた作動突起と、作動突起に係合し、開閉蓋の開閉動作に連動して作動し開閉蓋を完全閉塞状態に維持する作動レバー機構と、作動レバー機構を一方向に付勢する作動ばねと、を備え、作動レバー機構は、開閉蓋に対し連動状態となる回動始端位置と開閉蓋の完全閉塞前の回動終端位置との間で回動自在に構成されると共に、回動終端位置と開閉蓋を完全閉塞して回動阻止状態となる閉塞維持位置との間で移動自在に構成され、作動突起は、開閉蓋の閉塞動作に連動し、作動ばねに抗して作動レバー機構を回動始端位置から回動終端位置に回動させ、且つ作動ばねを介して作動レバー機構により回動終端位置から回動始端位置に回動して、開閉蓋を跳ね上げる押圧突起と、閉塞維持位置に移動した作動レバー機構に係合し、作動ばねを介して作動レバー機構により押圧され、開閉蓋を閉塞状態に維持する被押圧突起と、を有していることを特徴とする。
【０００６】
この構成によれば、開閉蓋を閉じてゆくと、作動レバー機構は、押圧突起に押され、作動ばねに抗して回動始端位置から回動終端位置に回動する。さらに開閉蓋の閉塞が進むと、作動レバー機構は、作動ばねに引かれて回動終端位置から閉塞維持位置に移動する。作動レバー機構が閉塞維持位置に移動すると、作動レバー機構は、押圧突起に代わって被押圧突起と係合して完全閉塞状態となる。完全閉塞状態となった開閉蓋は、被押圧突起および作動レバー機構を介して作動ばねにより閉塞方向に引っ張られ、完全閉塞状態を維持する。一方、この完全閉塞状態から、作動ばねに抗して開閉蓋を開いてゆくと、被押圧突起が作動レバー機構を閉塞維持位置から回動終端位置に移動させる。作動レバー機構が回動終端位置に移動すると、作動レバー機構は、被押圧突起に代わって押圧突起に係合し、作動ばねによって回動終端位置から回動始端位置に勢いよく回動する。これにより、開閉蓋が開放方向に跳ね上げられる。このように、完全閉塞状態に移動した開閉蓋は、作動ばねにより閉塞方向に付勢されている状態となるため、ロック部材や解除ボタン等が不要となり、構造の単純化とスペース効率の向上を図ることができる。また、開閉蓋の開放に際し、開閉蓋が作動ばねにより跳ね上げられる。すなわち、閉塞維持機構が開閉蓋のロック機能と開閉蓋の跳ね上げ機能とを兼ねているため、この点でも構造の単純化を図ることができる。
【０００７】
この場合、作動レバー機構は、作動突起に係合し、開閉蓋の開閉動作に連動して回動始端位置と回動終端位置との間で回動自在に、且つ回動終端位置と閉塞維持位置との間で移動自在に構成された作動レバーと、作動レバーを回動始端位置と回動終端位置との間で回動自在に支持する回動支軸と、回動支軸に対し離間して配設され、作動レバーに係合する係合ピンと、作動レバーに設けられ、回動支軸と協働して作動レバーの回動動作および移動動作をガイドする直線状の軸側ガイドと、作動レバーに設けられ、係合ピンと協働して作動レバーの回動動作をガイドする円弧状ガイド部、および円弧状ガイド部に連なり作動レバーの移動動作をガイドする直線状ガイド部とを含むピン側ガイド、を有し、軸側ガイドと直線状ガイド部とは、同一方向に且つ作動ばねの付勢力が作用する方向に延在していることが、好ましい。
【０００８】
この構成によれば、開閉蓋の閉塞動作において、回動支軸を中心に、係合ピンが円弧状ガイド部に沿って相対的に移動することで、作動レバーが、回動始端位置から回動終端位置に回動する。回動終端位置に移動した作動レバーは、作動ばねの付勢力を受け、回動支軸および係合ピンが、それぞれ軸側ガイドおよび直線状ガイド部に沿って相対的に移動するとことで、回動始端位置から閉塞維持位置に相対的に移動する。また、開閉蓋の開放動作では、逆の動作となる。このように、回動支軸、係合ピン、軸側ガイドおよびピン側ガイドの協働により、簡単な構造で、開閉蓋の閉塞維持および跳ね上げを円滑に行うことができる。
【０００９】
この場合、回動始端位置における作動レバーと押圧突起との接触点における閉塞力の作用方向に対し、回動支軸は、作動ばねによる付勢方向と逆方向に位置ズレして配設されていることが、好ましい。
【００１０】
この構成によれば、作動レバーおよび押圧突起の接触点と、回動支軸と、を結ぶ線分は、予め作動レバーが回動する方向に傾斜している。このため、作動レバーが、ロックしたり逆方向に回動してしまうのを防止することができる。
【００１１】
この場合、押圧突起は、作動レバーを回動始端位置から回動終端位置に向って移動させるカム斜面を有していることが、好ましい。
【００１２】
この構成によれば、開閉蓋の閉塞動作において、カム斜面により、回動始端位置にある作動レバーに回動方向の力を作用させることができ、作動レバーのロックや逆方向への回動を有効に防止することができる。
【００１３】
これらの場合、ピン側ガイドは、溝底が、復帰ガイド部から円弧状ガイド部に向って上り傾斜となり、且つ復帰ガイド部と円弧状ガイド部との接続部分が段部となるガイド溝で構成され、係合ピンは、ガイド溝に係合するピン本体と、ピン本体を溝底に向って付勢するばね部材と、を有していることが、好ましい。
【００１４】
この構成によれば、ユーザが、開閉蓋を開放した状態で直接、作動レバーを作動させる等の誤った操作をした場合、係合ピンが、閉塞維持位置を超えた位置から復帰ガイド部に沿って相対的に移動するため、作動レバーを回動始端位置に自動復帰させることができる。
【００１５】
この場合、ピン側ガイドは、溝底が、復帰ガイド部から円弧状ガイド部に向って上り傾斜となり、且つ復帰ガイド部と円弧状ガイド部との接続部分が段部となるガイド溝で構成され、係合ピンは、ガイド溝に係合するピン本体と、ピン本体を溝底に向って付勢するばね部材と、を有していることが、好ましい。
【００１６】
この構成によれば、係合ピンは、溝底へ向って付勢されているため、閉蓋動作の開始時において、係合ピンが、誤って復帰ガイド部に相対的に侵入してしまうのを、防止することができる。
【００１７】
本発明の電子機器は、開閉蓋により開閉され、印刷テープを収容したテープカートリッジが着脱自在に装着されるカートリッジ収容部と、カートリッジ収容部に装着したテープカートリッジから印刷テープを繰り出して印刷を行う印刷機構と、上記した開閉蓋閉塞機構と、を備えたことを特徴とする。
【００１８】
この構成によれば、解除ボタンを不要とする簡単な構造で、開閉蓋の跳ね上げと閉塞状態を維持することができると共に、小型のテープテーププリンタ（電子機器）を構成することができる。
【００１９】
この場合、印刷機構の印刷ヘッドをプラテンに対し相対的に離接させるヘッドリリース機構を、更に備え、作動ばねが、印刷ヘッドをプラテンに対し相対的に押圧するヘッドリリース機構のヘッド押圧ばねを兼ねていることが、好ましい。
【００２０】
この構成によれば、作動ばねが伸縮することで、印刷ヘッドをプラテンに対し押圧する（印刷待機状態）ことができるため、印刷ヘッドとプラテンとを離接させる機構を別に設ける必要がない。したがって、電子機器の部品点数を削減することができると共に、電子機器の小型化を図ることができる。
【発明を実施するための最良の形態】
【００２１】
以下、添付した図面を参照して、本発明の第１実施形態に係る開閉蓋維持機構を有するテーププリンタを用いたテープ印刷システムについて説明する。このテープ印刷システムは、パーソナルコンピュータ（以下、「パソコン」という。）と、テーププリンタ（電子機器）と、を接続して、パソコンの有するデータ処理機能を利用して印刷テープに所望の印刷を行うものである。また、テーププリンタは、キーボード、ディスプレイ、蓋開放ボタン等を廃し、極めてシンプルかつコンパクトに構成したものである。
【００２２】
図１に示すように、テープ印刷システム１は、パソコン２と、これにリンクするテーププリンタ３と、から構成されている。パソコン２は、パソコン本体１１と、印刷データなどを入力および編集するするキーボード１２およびマウス１３と、印刷データなどを表示するディスプレイ１４と、から構成されている。
【００２３】
図２に示すように、テーププリンタ３は、装置ケース２１により外郭が形成され、装置ケース２１の上面にはヒンジ部５を中心に開閉される開閉蓋２２が取り付けられている。詳細は後述するが、この開閉蓋２２は、閉塞維持機構４によって閉塞状態を維持すると共に、開放方向に跳ね上げられるようになっている。開閉蓋２２の内側にはテープカートリッジＣを横向きにして装着するためのカートリッジ収容部２３が窪入形成されており、テープカートリッジＣは、開閉蓋２２の開放状態でカートリッジ収容部２３に着脱自在に装着される。また、開閉蓋２２には、閉塞状態でテープカートリッジＣの装着／非装着を視認するための覗き窓２４が形成されている。
【００２４】
横向きに装着されるテープカートリッジＣに対応して、装置ケース２１の前面には、カートリッジ収容部２３と外部とを連通するテープ排出口２５が形成され、このテープ排出口２５には、送り出した印刷テープＴを切断するためのテープカッタ２６が臨んでいる。装置ケース２１の前面におけるテープ排出口２５の部分には、半円状に窪み部８が形成されており、前面の上半部まで覆う開閉蓋２２の前面も、これに倣って半円状に窪んでいる。また、装置ケース２１の前面の中段位置には、閉塞時の開閉蓋２２を受ける左右一対の段部９が設けられている。そして、左側の段部９と上記の窪み部８との間隙に指を入れて、開閉蓋２２を開放するようになっている。さらに、装置ケース２１の背面には、パソコン２に接続するためのインターフェース（図示省略）が設けられている。
【００２５】
一方、カートリッジ収容部２３には、ヘッドカバー２７内にサーマルタイプの印刷ヘッド２８が内蔵されたヘッドユニット２９と、印刷ヘッド２８に対峙するプラテン駆動軸３０と、後述のインクリボンＲを巻き取る巻き取り駆動軸３１と、後述のテープリール３２の位置決め突起３３と、が配設されている。
【００２６】
ヘッドユニット２９は、印刷ヘッド２８と、印刷ヘッド２８を保持するヘッドホルダと、ヘッドホルダを介して印刷ヘッド２８をプラテンローラ３７に離接させるヘッド支持軸と、を有している。印刷ヘッド２８は、ヘッドホルダを介してヘッド支持軸に回動自在に支持されているヘッド操作アームに取付けられている（いずれも図示省略）。ヘッド操作アームは、印刷ヘッド２８とプラテンローラ３７とを離間させるヘッドリリースばねと、印刷ヘッド２８とプラテンローラ３７とを当接させる作動ばね（ヘッド押圧ばね）５３と、によって相互に逆方向に付勢されている。
【００２７】
開閉蓋２２を閉塞してゆくと、後述する閉塞維持機構４を介して作動ばね５３が引かれ、ヘッド操作アームを介して印刷ヘッド２８がプラテンローラ３７に押し付けられる。すなわち、開閉蓋２２を閉塞すると、印刷ヘッド２８がプラテンローラ３７に接触し、印刷待機状態となる。一方、この状態から開閉蓋２２を開放してゆくと、作動ばね５３が収縮し、ヘッドリリースばねによって印刷ヘッド２８がプラテンローラ３７から離れる。すなわち、印刷ヘッド２８が退避位置に回動し、テープカートリッジＣの着脱が可能になる。
【００２８】
カートリッジ収容部２３の下側には、プラテン駆動軸３０および巻き取り駆動軸３１を回転させるテープ送りモータ（図示省略）が内蔵されている。また、カートリッジ収容部２３には、その隅部に、複数のマイクロスイッチ等で構成されたテープ識別センサ（マイクロスイッチ）が配設され、テープカートリッジＣに搭載した印刷テープＴの種別（テープ幅やテープ色等）を検出する。
【００２９】
テープカートリッジＣは、カートリッジケース３４の内部に、印刷テープＴを巻回したテープリール３２、インクリボンＲを巻回したリボンリール３５およびインクリボンＲを巻き取るリボン巻き取りリール３８を収容すると共に、プラテン駆動軸３０に嵌合して回転駆動するプラテンローラ３７を収容して、構成されている。また、カートリッジケース３４の下面には、上記したテープ識別センサに対応して、印刷テープＴの種別を判別するための複数の孔（図示省略）が設けられている。一方、印刷テープＴは、裏面に粘着層が形成された記録テープＴａと、この粘着層により記録テープＴａに貼り付けられた剥離テープＴｂとから構成されている。
【００３０】
テープカートリッジＣがカートリッジ収容部２３に装着され、開閉蓋２２が閉塞されると、印刷テープＴおよびインクリボンＲを挟み込んで印刷ヘッド２８がプラテンローラ３７に当接して印刷が可能になる。その後、ユーザが、パソコン２によりディスプレイ１４を確認しながら所望の情報を入力し、印刷を指示すると、パソコン２が印刷データを生成し、テーププリンタ３に送信する。テーププリンタ３は、テープカートリッジＣから印刷テープＴを繰り出し、印刷ヘッド２８の発熱素子を選択的に発熱させることにより、印刷テープＴに所望の印刷を行う。印刷テープＴの印刷済み部分は、テープ排出口２５から随時外部に送り出され、印刷を完了すると、余白分を含んだ送りが行われた後、切断される。これにより、テープラベルが作成される。
【００３１】
次に、図３および図４を参照して、開閉蓋２２の閉塞維持機構４について説明する。閉塞維持機構４は、開閉蓋２２の裏面に突設した押圧突起６１および被押圧突起６２から成る作動突起５１と、カートリッジ収容部２３の奥側に配設され開閉蓋２２の開閉時に作動突起５１に係合して作動する作動レバー機構５２と、作動レバー機構５２の下端部に掛け止めされ作動レバー機構５２を図示の左方に付勢する上記の作動ばね５３と、で構成されている。開閉蓋２２のヒンジ部５とカートリッジ収容部２３との間には、小型のフレーム５４が内蔵されており、フレーム５４の後部に開閉蓋２２のヒンジ部５が支持され、前部に作動レバー機構５２が支持されている。
【００３２】
完全開放状態にある開閉蓋２２は、後方に幾分反った状態にあり、この状態から開閉蓋２２を閉塞してゆくと、前傾姿勢になったところで作動突起５１が作動レバー機構５２に係合し、作動レバー機構５２と開閉蓋２２とが連動状態となる。作動ばね５３に抗してさらに開閉蓋２２を閉塞してゆくと、完全閉塞の直近で作動ばね５３のばね力が、作動レバー機構５２を介して開閉蓋２２を閉塞する方向に作用する。これにより、開閉蓋２２は完全閉塞し且つ作動ばね５３のばね力で完全閉塞状態を維持する。一方、完全閉塞状態から作動ばね５３に抗して開閉蓋２２を開放してゆくと、完全閉塞の直近で作動ばね５３のばね力が、作動レバー機構５２を介して開閉蓋２２を開放する方向に作用する。これにより、開閉蓋２２は軽く跳ね上げられ、作動レバー機構５２と開閉蓋２２との連動状態が解除される。この状態で開閉蓋２２は前傾姿勢となり、ユーザはそのまま開閉蓋２２を完全開放状態にする。
【００３３】
この場合、開閉蓋２２は左右方向に延びる軸（ヒンジ部５）を中心に回動し、これに伴って作動レバー機構５２に係合した作動突起５１は、ほぼ上下方向に移動する。一方、上記したようにフレーム５４の前面に添設された作動レバー機構５２は、この前面の面内で移動する。このため、作動突起５１は、左右方向に延在する形態となり、一方、作動レバー機構５２は、これに平行に対峙する。また、作動突起５１は開閉蓋２２の裏面基部側に配設され、作動レバー機構５２はカートリッジ収容部２３の奥側に配設されている。したがって、本実施形態の閉塞維持機構４は、テープカートリッジＣの着脱に際し、邪魔になることがない。
【００３４】
一方、作動突起５１と連動してフレーム５４の前面の面内で移動する作動レバー機構５２の動きは、その作動レバー７１が、閉塞動作時には、開閉蓋２２の前傾姿勢に対応する回動始端位置から完全閉塞直近に対応する回動終端位置に回動する（以下、単に「回動動作」という。）。さらに、閉塞動作が進むと、回動終端位置から開閉蓋２２の完全閉塞状態に対応する閉塞維持位置に移動する（以下、単に「移動動作」という。）。また、開放動作時における作動レバー７１は、逆に閉塞維持位置から回動終端位置に移動（以下、単に「逆移動動作」という。）した後、回動終端位置から回動始端位置に勢いよく回動する（以下、単に「逆回動動作」という。）。
【００３５】
作動突起５１は、開閉蓋２２と一体に成形されており、開閉蓋２２の基端寄りに配設した上記の押圧突起６１と、先端寄りに配設した上記の被押圧突起６２とを有している。押圧突起６１は、開閉蓋２２の開閉動作において、上記の回動始端位置と回動終端位置との間で回動する作動レバー７１に係合し、被押圧突起６２は、開閉蓋２２の開閉動作において、回動終端位置と閉塞維持位置との間で移動する作動レバー７１に係合する。すなわち、押圧突起６１は、作動ばね５３の力が作動レバー７１を介して開閉蓋２２を開放する方向に作用している状態で、作動レバー７１に係合し、被押圧突起６２は、作動ばね５３の力が作動レバー７１を介して開閉蓋２２を閉塞する方向に作用している状態で、作動レバー７１に係合する。そして、詳細は後述するが、押圧突起６１は、作動レバー７１の上端面に係合し、被押圧突起６２は、作動レバー７１の上端部に突設した閉塞突起７６に係合する。
【００３６】
押圧突起６１は、略方形の板状に形成され、左右方向に延在している。押圧突起６１の係合端面は、右端部のカム斜面６３とこれに連なるカム平坦面６４とから成り、このカム斜面６３により、回動始端位置にある作動レバー７１の回動開始が円滑に行われるようになっている。回動始端位置にある作動レバー７１は、回動動作の死点近傍に位置しており、このカム斜面６３により、作動レバー７１のロックや逆方向への回動が有効に防止される。
【００３７】
被押圧突起６２は、断面「Ｌ」字形状に形成されており、その先端部には、作動レバー７１と係合するフック部６５が設けられている。作動レバー７１が、閉塞維持位置に移動すると、押圧突起６１に代わって、被押圧突起６２のフック部６５が作動レバー７１の閉塞突起７６と係合することで、開閉蓋２２を閉塞方向に引き込み且つ閉塞状態に維持する。
【００３８】
作動レバー機構５２は、作動レバー７１と、回動支軸７２と、係合ピン７３と、軸側ガイド７４と、ピン側ガイド７５とを有している。作動レバー７１は、回動始端位置、回動終端位置および閉塞維持位置の間で、回動および移動自在に構成される。回動支軸７２は、作動レバー７１を回動始端位置と回動終端位置との間で回動自在に支持する。係合ピン７３は、作動レバー７１に係合される。軸側ガイド７４は、回動支軸７２が係合して作動レバー７１の回動動作および移動動作をガイドする。ピン側ガイド７４は、係合ピン７３が係合して作動レバー７１の回動動作および移動動作をガイドする。すなわち、作動レバー７１は、回動支軸７２および係合ピン７３が、軸側ガイド７４およびピン側ガイド７５にガイドされて相対的に移動することで、回動始端位置、回動終端位置および閉塞維持位置の間を回動動作および移動動作するようになっている。
【００３９】
作動レバー７１は、上下に長い略菱形形状に形成されており、回動支軸７２を介してフレーム５４に支持されている。作動レバー７１の上端部には、被押圧突起６２と係合する閉塞突起７６が突設されており、下端部には、作動ばね５３が掛け止めされるばね掛止部７７が延設されている。また、作動レバー７１の中央部には、軸側ガイド７４およびピン側ガイド７５がそれぞれ形成されている。作動ばね５３により付勢された作動レバー７１は、回動支軸７２が軸側ガイド７４の左端に、係合ピン７３がピン側ガイド７５の右端にそれぞれ相対的に位置し、回動始端位置に定位している。また、この状態で、押圧突起６１が係合する作動レバー７１の上端面（の接触点）から下した垂線に対し、回動支軸７２が右側に位置しており、作動レバー７１の逆方向への回動が阻止されている。
【００４０】
回動支軸７２は、フレーム５４の表面に突設され、フレーム５４の表面に添わせた作動レバー７１を軸側ガイド７４と協働して、回動および移動自在に支持している。図示では省略したが、回動支軸７２の先端にはヘッド部が設けられており、このヘッド部が作動レバー７１の回動支軸７２からの脱落（抜止め）を防止している。上述したように、作動レバー７１と押圧突起６１との接触点に対し回動支軸７２は、作動ばね５３の非開放方向に位置ズレしており、押圧突起６１の押圧力が作動レバー７１を半時計回りに回動させる方向に作用する。
【００４１】
係合ピン７３は、ピン側ガイド７５に係合するピン本体８１と、ピン本体８１を作動レバー７１側に付勢するばね部材８２とで構成されており、ばね部材８２の基部でフレーム５４に取付けられている。そして、ピン本体８１は、回動支軸７２の斜め下方に配設されている。
【００４２】
軸側ガイド７４は、作動レバー７１の中心部から右側部に直線状に延びる長孔であり、作動レバー７１が上記の回動動作および逆回動動作を行っている間は、回動支軸７２が相対的に左端に位置し、上記の移動動作では左端から右端に、逆移動動作では右端から左端に相対的に移動する。
【００４３】
ピン側ガイド７５は、作動レバー７１の裏側にガイド溝として形成されており、作動レバー７１の回動動作および逆回動動作をガイドする円弧状ガイド部８３と、円弧状ガイド部８３に連なり軸側ガイド７４と共に作動レバー７１の移動動作および逆移動動作をガイドする直線状ガイド部８４と、円弧状ガイド部８３および直線状ガイド部８４に連なり、作動レバー７１を閉塞維持位置を越えた位置（以下、単に「閉塞超過位置」という。）から回動始端位置に直接復帰させる（以下、単に「復帰動作」という。）復帰ガイド部８５と、から構成されている。
【００４４】
円弧状ガイド部８３は、軸側ガイド７４の左端に位置した回動支軸７２を中心とする円弧に倣った円弧形状（約１／４の円弧）に形成され、作動レバー７１の下端部から左端部に向かって延在している。直線状ガイド部８４は、円弧状ガイド部８３の左端から軸側ガイド７４と同一方向に、且つ同長に延びている。係合ピン７３が相対的に円弧状ガイド部８３の右端に位置している状態が、作動レバー７１の回動始端位置であり、左端に位置している状態が、作動レバー７１の回動終端位置である。
【００４５】
回動動作により作動レバー７１が回動終端位置に到達すると、回動動作が規制されると同時に、作動ばね５３のばね力が軸側ガイド７４および直線状ガイド部８４の延在方向に作用し、軸側ガイド７４および直線状ガイド部８４に倣って、作動レバー７１が斜め左下方に直線的に移動する。この場合、作動レバー７１が回動終端位置に到達したときに、作動レバー７１の閉塞突起７６は、押圧突起６１の基部と被押圧突起６２との間隙に入り込み、作動レバー７１が斜め左下方に移動する瞬間、閉塞突起７６が被押圧突起６２に係合しこれを下方に引っ張る。これにより、開閉蓋２２が閉塞方向に引き込まれ、完全閉塞状態となる。開閉蓋２２が完全閉塞状態になると、作動レバー７１の移動が停止し、回動支軸７２は、相対的に軸側ガイド７４の延在方向の途中の位置に、また係合ピン７３は、相対的に直線状ガイド部８４延在方向の途中の位置に、すなわち閉塞維持位置にそれぞれ定位する。
【００４６】
一方、逆の手順で、開閉蓋２２を開放してゆくと、被押圧突起６２が、作動ばね５３に抗して作動レバー７１を斜め右上方に引き上げてゆく（逆移動動作）。作動レバー７１が、回動終端位置に到達すると、係合ピン７３が相対的に円弧状ガイド部８３に入り込み、作動レバー７１の逆回動動作が可能になる。すなわち、係合ピン７３が円弧状ガイド部８３に入り込んだ瞬間、作動ばね５３のばね力が、作動レバー７１を逆回動動作させる方向に作用し、作動レバー７１は瞬時に逆回動動作する。これにより、作動レバー７１は、押圧突起６１を介して開閉蓋２２を跳ね上げる。
【００４７】
ところで、閉塞維持位置に移動した作動レバー７１は、回動が規制され、且つ作動ばね５３により斜め左下方に引かれている。このため、ユーザが、直接作動レバー７１を押して閉塞維持位置に移動させてしまうと、作動レバー７１を元の位置に復帰させることが困難になる可能性がある。そこで、本実施形態では、ピン側ガイド７５に復帰ガイド部８５を設けている。復帰ガイド部８５は、円弧状ガイド部８３および直線状ガイド部８４を円弧形状に結ぶように形成されている。より具体的には、回動支軸７２が右端から左端に相対的に移動する間に、係合ピン７３が直線状ガイド部８４の右端から円弧状ガイド部８３の右端に相対的に移動するように形成されている。よって、復帰ガイド部８５に案内されて復帰動作する作動レバー７１は、相対的に軸側ガイド７４および係合ピン７３に沿って移動することになる。
【００４８】
復帰ガイド部８５の溝底は、直線状ガイド部８４から円弧状ガイド部８３に向って上り傾斜となっており、且つ復帰ガイド部８５と円弧状ガイド部８３とが一端で交わる部分（交会部分）が段部となっている。したがって、閉塞超過位置での作動レバー７１は、直接、閉塞超過位置から回動始端位置に復帰する。また、復帰ガイド部８５と円弧状ガイド部８３との交会部分が段部となっているため、初期回動動作において、係合ピン７３が復帰ガイド部８５に誤って侵入することがない。
【００４９】
作動ばね５３は、テーププリンタ３の左右方向に延在するコイルスプリングで構成され、作動レバー７１を正面視時計廻りに付勢している。このため、作動レバー７１の回動動作はユーザにより作動ばね５３に抗して為され、逆回動動作は作動ばね５３により瞬時に為される。また、作動レバー７１の移動動作は、作動ばね５３により瞬時に為され、逆移動動作はユーザにより作動ばね５３に抗して為される。
【００５０】
次に、図４を参照して、開閉蓋２２の一連の開閉動作について説明する。完全開放状態の開閉蓋２２を前傾姿勢まで閉塞してゆくと、回動始端位置にある作動レバー７１の上端面に、押圧突起６１のカム斜面６３が当接する（図４（ａ））。さらに、作動ばね５３に抗して開閉蓋２２の閉塞動作を進めて行くと、作動レバー７１は、回動動作する（図４（ｂ））。作動レバー７１が回動動作を終了すると、作動レバー７１の閉塞突起７６が被押圧突起６２に臨む（図４（ｃ））と同時に、作動レバー７１が移動動作する（図４（ｄ））。これにより、開閉蓋２２は被押圧突起６２に引っ張られるようにして完全閉塞し、この状態を維持する。
【００５１】
一方、完全閉塞状態から、作動ばね５３に抗して開閉蓋２２を開放して行くと、被押圧突起６２により、作動レバー７１が逆移動動作する（図４（ｃ））。作動レバー７１が逆移動動作を終了すると、作動ばね５３が作用して、作動レバー７１を逆回動動作させる（図４（ｂ））。これにより、作動レバー７１は、開閉蓋２２を跳ね上げるようにして開放する（図４（ａ））。
【００５２】
次に、図５を参照して、ユーザが、誤って直接作動レバー７１を押圧してしまう場合について説明する。ユーザにより作動レバー７１が押し込まれると（図５（ａ））、上記と同様に、作動レバー７１は、回動動作し、さらに移動動作する。しかし、この場合、作動レバー７１は、閉塞維持位置を通過して閉塞超過位置まで移動する（図５（ｂ））。閉塞超過位置に移動した作動レバー７１は、次の瞬間、復帰ガイド部８５に倣って閉塞超過位置から回動始端位置に移動する（図６（ｃ））。すなわち、作動レバー７１は、回動始端位置に復帰する。
【００５３】
次に、図６ないし図８を参照して、本発明の第２実施形態に係る作動レバー機構５２について説明する。なお、重複した記載を避けるべく第１実施形態と異なる部分のみ記載する。この実施形態の作動レバー機構５２は、上記した作動レバー７１、回動支軸７２、係合ピン７３、軸側ガイド７４およびピン側ガイド７５の他に、軸側ガイド７４の一方の端部に連なったサブ軸側ガイド９２と、ピン側ガイド７５の一方の端部に連なったサブピン側ガイド９３と、を有している（図６参照）。
【００５４】
作動レバー７１は、第１実施形態と同様に、上下に長い略菱形に形成されている。作動レバー７１の上端部には押圧突起６１と係合する係合延部９１が左方向に延在しており、下端部にはばね掛止部７７が延設されている。また、係合延部９１の付け根には、閉塞突起７６が突設されている。さらに、作動レバー７１の中央付近には、軸側ガイド７４およびサブ軸側ガイド９２と、ピン側ガイド７５およびサブピン側ガイド９３と、がそれぞれ一体に、貫通形成されている。
【００５５】
回動支軸７２は、フレーム５４の表面に突設され、軸側ガイド７４およびサブ軸側ガイド９２と協働して、作動レバー７１を回動および移動自在に支持している。また、係合ピン７３は、フレーム５４の表面に突設され、ピン側ガイド７５およびピン側ガイド７５と協働して、回動支軸７２と共に、作動レバー７１を回動および移動自在に支持している。
【００５６】
サブ軸側ガイド９２は、軸側ガイド７４の左端に連なっており、回動始端位置における作動レバー７１と押圧突起６１との接触点の位置に向かって斜め左上方に延びるように形成されている。この場合、回動支軸７２が相対的に軸側ガイド７４の左端に位置している状態が、作動レバー７１の回動始端位置であり（図７（ａ））、言い換えれば、回動支軸７２が相対的にサブ軸側ガイド９２の右下端に位置している状態が、作動レバー７１の回動始端位置である。そして、押圧突起６１による初期回動動作において、回動支軸７２が相対的にサブ軸側ガイド９２の左上端まで移動し、その間に作動レバー７１が僅かに回動するようになっている。
【００５７】
サブピン側ガイド９３は、ピン側ガイド７５の円弧状ガイド部８３の右端に連なっており、サブ軸側ガイド９２と略同方向に、かつピン側ガイド７５の右端から右下に向って同長に形成されている。この場合、係合ピン７３が相対的にサブピン側ガイド９３の右下端に位置している状態が、作動レバー７１の回動始端位置である（図７（ａ））。そして、回動支軸７２が相対的にサブ軸側ガイド９２の左上端まで移動する間に、係合ピン７３が相対的にサブピン側ガイド９３の左上端に、すなわち、円弧状ガイド部８３の右端に移動する。
【００５８】
作動レバー７１が、回動動作を開始すると（図７（ａ））、回動支軸７２がサブ軸側ガイド９２に沿って左上端に相対的に移動すると共に、係合ピン７３がサブピン側ガイド９３に沿って斜め左上に相対的に移動して、サブピン側ガイド９３から抜け出すことで、作動レバー７１が回動しながら右下に移動する（図７（ｂ））。さらに、回動動作が進むと、作動レバー７１が、サブ軸側ガイド９２の左上端に位置した回動支軸７２を軸として回動することで、係合ピン７３が円弧状ガイド部８３の左端まで移動すると共に、回動支軸７２がサブ軸側ガイド９２の左上端から右下端に相対的に移動する（図７（ｃ））。そして、作動レバー７１が、作動ばね５３のばね力により移動動作して閉塞維持位置に移動して完全閉塞状態を維持する（図７（ｄ））。
【００５９】
一方、逆の手順で、開閉蓋２２を開放してゆくと、作動レバー７１が逆移動動作により回動終端位置に到達した瞬間、作動ばね５３のばね力が作動レバー７１を逆回動動作させる方向に作用し、作動レバー７１は瞬時に逆回転動作する。これにより、作動レバー７１は、押圧突起６１を介して開閉蓋２２を跳ね上げる。
【００６０】
復帰ガイド部８５は、円弧状ガイド部８３および直線状ガイド部８４を結ぶように形成されており、閉塞超過位置にある作動レバー７１が回動始端位置に復帰できるようになっている。具体的には、回動支軸７２が軸側ガイド７４の右端から左端に移動する間に、係合ピン７３が直線状ガイド部８４の右端からサブピン側ガイド９３の右下端に相対的に移動するように形成されている。（図８参照）。
【００６１】
以上の構成によれば、開閉蓋２２を閉じようとすると、回動始端位置にある作動レバー７１は、作動ばね５３に抗して、回動終端位置へ回動動作した後、閉塞維持位置へ移動動作する。そして、作動レバー７１は、被押圧突起６２と係合すると共に、作動ばね５３で付勢され、開閉蓋２２の閉塞状態を維持する。また、開閉蓋２２を開こうとすると、閉塞維持位置にある作動レバー７１は、作動ばね５３に抗して、回動終端位置へ逆移動動作する。そして、作動レバー７１は、作動ばね５３によって勢いよく回動始端位置へ逆回動動作をすると共に、開閉蓋２２を跳ね上げる。したがって、解除ボタンを不要とする簡単な構造で、開閉蓋２２の跳ね上げと閉塞状態を維持することができる。
【００６２】
なお、本実施形態では、作動レバー７１は、その後面がフレーム５４に取付けられるようになっているが、作動レバー７１の前面から取付けられるようにしてもよい。
【図面の簡単な説明】
【００６３】
【図１】テープ印刷システムの外観模式図である。
【図２】テーププリンタの外観斜視図である。
【図３】第１実施形態に係る閉塞維持機構の外観斜視図である。
【図４】第１実施形態における開閉蓋の閉塞動作（開閉動作）を示した図である。
【図５】第１実施形態における開閉蓋の復帰動作を示した図である。
【図６】第２実施形態に係る閉塞維持機構の外観斜視図である。
【図７】第２実施形態における開閉蓋の閉塞動作（開閉動作）を示した図である。
【図８】第２実施形態における開閉蓋の復帰動作を示した図である。
【符号の説明】
【００６４】
２…パーソナルコンピュータ  ３…テーププリンタ  ４…閉塞維持機構  ５…ヒンジ部  ２２…開閉蓋  ２３…カートリッジ収容部  ５１…作動突起  ５２…作動レバー機構  ５３…作動ばね  ６１…押圧突起  ６２…被押圧突起  ６３…カム斜面  ７２…回動支軸  ７３…係合ピン  ７４…軸側ガイド  ７５…ピン側ガイド  ８２…ばね部材  ８３…円弧状ガイド部  ８４…直線状ガイド部  ８５…復帰ガイド部  ９２…サブ軸側ガイド  ９３…サブピン側ガイド  Ｃ…テープカートリッジ  Ｔ…印刷テープ
【図１】
2009226836.tif 000003
【図２】
2009226836.tif 000004
【図３】
2009226836.tif 000005
【図４】
2009226836.tif 000006
【図５】
2009226836.tif 000007
【図６】
2009226836.tif 000008
【図７】
2009226836.tif 000009
【図８】
2009226836.tif 000010